(57)【要約】【課題】長時間着用していてもずれることなく、雄ペットの尿道口を覆い尿等を確実に捕捉可能な雄ペット用おむつを提供する。【解決手段】雄ペットの背中付近に当接される背当部と、股付近に当接される股当部と、腹付近に当接される腹当部と、を有し、前記股当部に尻尾通し孔を備えるとともに、前記腹当部には尿吸収体を備えるおむつ本体を備え、前記腹当部には、着用時に前記雄ペットの腰部分に対応する位置に前記おむつ本体の両側縁側から外方に延伸するようにして固定テープが設けられ、該固定テープより反股当部方向に延伸し、着用されたときに前記吸収体が前記雄ペットの尿道口およびその近傍を覆う位置および大きさに設定された尿捕捉領域を有し、前記尿吸収体が尿を吸収した後においても前記尿捕捉領域が前記雄ペットの腹部に当接するように保持される保持構造を有することを特徴とする。【選択図】        図１
2005151869.tif 000002
【特許請求の範囲】
【請求項１】
雄ペットに着用する雄ペット用おむつであって、
前記おむつが装着される雄ペットの背中付近に当接される背当部と、該雄ペットの股付近に当接される股当部と、該雄ペットの腹付近に当接される腹当部と、を有し、前記股当部の着用時に前記雄ペットの尻尾に対応する位置に該尻尾を通すための尻尾通し孔を備えるとともに、前記腹当部には尿吸収体を備えるおむつ本体を備え、
前記腹当部には、着用時に前記雄ペットの腰部分に対応する位置に、前記おむつ本体の両側縁側から外方に延伸するようにして固定テープが設けられ、該固定テープより反股当部方向に延伸し、着用されたときに前記吸収体が前記雄ペットの尿道口およびその近傍を覆う位置および大きさに設定された尿捕捉領域を有し、
前記尿吸収体が尿を吸収した後においても前記尿捕捉領域が前記雄ペットの腹部に当接するように保持される保持構造を有することを特徴とする雄ペット用おむつ。
【請求項２】
前記尿捕捉領域は、前記固定テープから前記雄ペットの頭部側に向けて延伸してなるものであることを特徴とする請求項１に記載の雄ペット用おむつ。
【請求項３】
前記尿吸収体は、その頭部方向および側面方向においてＪＩＳのカンチレバー法による剛軟度が４０ｍｍから１５０ｍｍであることを特徴とする請求項１または２に記載の雄ペット用おむつ。
【請求項４】
前記保持構造は、前記尿捕捉領域の側縁側から前記雄ペットの胴部を一周する係止部材で保持するものであることを特徴とする請求項１または２に記載の雄ペット用おむつ。
【請求項５】
前記係止部材は、一方の端部が前記尿捕捉領域の両側縁にそれぞれ固定され、他方の端部が外方に延伸して設けられ、前記おむつが前記雄ペットに装着された際に、前記雄ペットの胴部で前記端部どうしが係合して係止されるものであることを特徴とする請求項４に記載の雄ペット用おむつ。
【請求項６】
前記係止部材は、前記尿捕捉領域の一方の側縁側に設けられ、前記おむつが前記雄ペットに装着された際に、前記胴部を一周して前記尿捕捉領域の他方の側縁側に係止されるものであることを特徴とする請求項４に記載の雄ペット用おむつ。
【請求項７】
前記係止部材は、前記雄ペットと当接する側に滑り止め機能が付与されていることを特徴とする請求項４から６いずれか記載の雄ペット用おむつ。
【請求項８】
前記尿捕捉領域は、該尿捕捉領域に一端が固定され前記雄ペットの胴部を一周する前記係止部材によって前記胴部から吊り下げて保持されるものであることを特徴とする請求項４から７いずれか記載の雄ペット用おむつ。
【請求項９】
前記保持構造は、前記尿捕捉領域の前記尿吸収体の下面に設けた略平板状の剛性部材で保持するものであることを特徴とする請求項１または２に記載の雄ペット用おむつ。
【請求項１０】
前記剛性部材は、ＪＩＳのカンチレバー法によるその剛軟度が頭部方向および側面方向についてそれぞれ４０ｍｍから１５０ｍｍであることを特徴とする請求項９に記載の雄ペット用おむつ。
【請求項１１】
前記保持構造は、頭部方向を支持する前記剛性部材と、側面方向を支持する前記剛性部材と、からなり、それぞれの剛性部材が支持する方向のＪＩＳのカンチレバー法による剛軟度が４０ｍｍから１５０ｍｍであることを特徴とする請求項９に記載の雄ペット用おむつ。
【請求項１２】
前記尿捕捉領域は、前記おむつ本体から分離されて別体となっていることを特徴とする請求項１から１１いずれか記載の雄ペット用おむつ。
【請求項１３】
前記固定テープは、熱シールにより前記おむつ本体に留め付けられたものであることを特徴とする請求項１から１２いずれか記載の雄ペット用おむつ。
【請求項１４】
前記固定テープは、メカニカル係止であることを特徴とする請求項１から１３いずれか記載の雄ペット用おむつ。
【請求項１５】
前記固定テープは、粘着材による係止であることを特徴とする請求項１から１３いずれか記載の雄ペット用おむつ。
【請求項１６】
前記雄ペット用おむつは、オープン型おむつであることを特徴とする請求項１から１５いずれか記載の雄ペット用おむつ。
【請求項１７】
前記雄ペット用おむつは、パンツ型おむつであることを特徴とする請求項１から１５いずれか記載の雄ペット用おむつ。
【発明の詳細な説明】
【技術分野】
【０００１】
本発明は、雄のペットに最適なペット用おむつに関するものである。
【背景技術】
【０００２】
犬や猫は古くから人間のペットとして飼われているが、最近ではマンション等の庭の無い高層住宅が増えた影響もあり、これらのペットを室内で飼うことが多くなっている。室内でペットを飼う場合に、飼い主が最も苦労するのはペットに大・小便のしつけをすることであり、成犬になれば訓練ができるが、生まれてから間もない子犬や一歳未満の幼犬の場合にはしつけが難しいという問題があった。また、成犬でも老衰や事故などにより大・小便を飼い主に依存しなければならなくなることがあり、そのような場合には、飼い主の手が及ばないところで粗相して飼い主の住居を大・小便で汚すことになる。
【０００３】
このような実情に鑑みて各種のペット用おむつが市販されているが、これらのペット用おむつとしては、例えば、特許文献１に開示されているように液透過性の不織布などからなるトップシートと、液不透過性プラスチックフィルムなどからなるバックシートと、これらのトップシート及びバックシートでサンドイッチされトップシートを透過した液体を吸収する吸収体とが配置されたもので、ペットの尻尾に対応する位置には、所定の形状及び大きさの孔が貫設され、そこからペットの尻尾を外部に出すようになっている。
【特許文献１】特開平７−２３６３８０号
【発明の開示】
【発明が解決しようとする課題】
【０００４】
しかしながら、この種のペット用おむつは人間用のおむつを基本にした構造で、雄・雌の区別が無いため、おむつの長さが胴部に対して短いという構造になっている。ところが、四足歩行のペットは人間と違い、尿道口の位置が雄と雌で大きく異なり、特にミニチュアダックスフンドなどの短足・胴長犬種については、雄犬の尿道口が胴体の中央部に存在している。また、この種の胴長短足犬種ほど骨格の問題から加齢により腰痛が発生し易く動けなくなることでおむつの装着率が高い。
【０００５】
ところが、市販されているペット用おむつでは、雄犬の場合、とりわけミニチュアダックスフンドなどの短足・胴長犬種の雄犬の場合、おむつの長さが短いため尿道口をおむつの中に隠すことができない。また、隠すことができたとしても長時間の装着によりずれてしまい、雄犬の尿道口がおむつの外に露出してしまうことがある。
【０００６】
このため、おむつを装着していても雄犬の尿道口はおむつに隠れずに露出していることになるので、おむつでは尿等の排泄物の処理ができず、飼い主の手が及ばないところで粗相して飼い主の住居を尿等の排泄物で汚すという問題があった。
【０００７】
また、雄犬の尿道口を覆うようにおむつの長さを長くすることで対処しても、おむつを固定する位置が胴体の中央部となり、ペットの胴部は後ろ足前方の腰部分が一番胴回り寸法が短いために長時間着用している間におむつのテープ止め部が後ろ足の直前までずれ落ちてしまって、雄犬の尿道口を覆うことができずに尿が漏れてしまうことになる。
【０００８】
本発明は、このような従来の技術に存在する問題点に着目してなされたものである。その目的とするところは、長時間着用していてもずれることなく、雄ペットの尿道口を覆い尿等を確実に捕捉可能な雄ペット用おむつを提供することにある。
【課題を解決するための手段】
【０００９】
以上のような課題を解決するために、本発明においては、おむつを最もずれ難いペットの腰部分で固定テープにて固定し、さらに、尿吸収体をこの固定部分からペットの頭部側に向けて延伸する尿捕捉領域を有する構造にすることで、雄ペットの尿道口およびその近傍を常時覆い隠すことが可能となり、尿等の排泄物の粗相を防止できることを見出して本発明を完成させた。
【００１０】
より具体的には、本発明においては以下のようなものを提供する。
【００１１】
（１）  雄ペットに着用する雄ペット用おむつであって、前記おむつが装着される雄ペットの背中付近に当接される背当部と、該雄ペットの股付近に当接される股当部と、該雄ペットの腹付近に当接される腹当部と、を有し、前記股当部の着用時に前記雄ペットの尻尾に対応する位置に該尻尾を通すための尻尾通し孔を備えるとともに、前記腹当部には尿吸収体を備えるおむつ本体を備え、前記腹当部には、着用時に前記雄ペットの腰部分に対応する位置に、前記おむつ本体の両側縁側から外方に延伸するようにして固定テープが設けられ、該固定テープより反股当部方向に延伸し、着用されたときに前記吸収体が前記雄ペットの尿道口およびその近傍を覆う位置および大きさに設定された尿捕捉領域を有し、前記尿吸収体が尿を吸収した後においても前記尿捕捉領域が前記雄ペットの腹部に当接するように保持される保持構造を有することを特徴とする雄ペット用おむつ。
【００１２】
本発明によれば、雄ペットに装着した際に、おむつ本体の腹当部の両側縁から幅方向の外方に延伸するようにして設けられた固定テープによって、雄ペットの胴回りの最も短い部分である腰部分で雄ペット用おむつが固定されるので、長時間着用していても雄ペット用おむつがずれないことになる。また、腹当部には、固定テープから反股当部（雄ペットの頭部）方向に延伸し、おむつが着用されたときに尿吸収体が雄ペットの尿道口およびその近傍を覆う大きさに設定された尿捕捉領域を有するので、雄ペットが排泄した尿を吸収できることになる。さらに、この尿捕捉領域は尿を吸収した後でも垂れ下がらないように保持される構造で雄ペットの尿道口およびその近傍を覆っているので、尿吸収体が尿を吸収した後でも尿捕捉領域は雄ペットの腹部に当接した状態に保持され、尿を漏らすことなく吸収することができる。しかも、おむつ本体は上記のようにペットの腰部分で固定テープにより固定されていてずれることがないので、尿捕捉領域も長時間着用していてもずれないことになる。従って、ペットの尿道口が尿捕捉領域からはみ出さないので、尿等の粗相を防止することができる。
【００１３】
尚、尿吸収体が尿を吸収した後でも尿捕捉領域が垂れ下がらないように保持する構造としては、例えば、尿吸収体自体の曲げ剛性を強くする。尿捕捉領域を係止部材等によってペットの胴部等に係止して保持する。尿捕捉領域を曲げ剛性を有する剛性部材で支える等であってよい。
【００１４】
上記の尿等を吸収した後でも尿捕捉領域が垂れ下がらないように尿吸収体自体の曲げ剛性を強くする、あるいは尿捕捉領域を曲げ剛性を有する剛性部材で支える場合には、尿吸収体の曲げ剛性や尿捕捉領域を支える剛性部材としては、ペットの種類や大きさによる尿道口およびその近傍を覆う尿捕捉領域の大きさにもよるが、ＪＩＳ  Ｌ  １０９６「一般織物試験方法」で規定されている「４５°カンチレバー法による剛軟度」が頭部方向（おむつ本体の長手方向）および側面方向（おむつ本体の幅方向）において、それぞれ４０ｍｍ以上であるのが好ましい。より好ましくは４０〜１５０ｍｍである。剛軟度が１５０ｍｍより大きいと剛性が強くなり、着用時に違和感を生じペットが装着を嫌がることになるので好ましくない。
【００１５】
また、尿捕捉領域を係止部材等でペットの胴部等に係止して保持するには、尿捕捉領域のペットの頭部側の側縁に係止部材を設けて、この係止部材をペットの胴部や首周りに廻して尿捕捉領域を吊るように保持すればよい。例えば、尿捕捉領域の幅方向（おむつ本体の幅方向で図１においてＩＩ−ＩＩ方向）の両側縁にそれぞれ係止部材の一端を留め付けて、この係止部材の他端をペットの胴部の両側から胴部に廻してメカニカル係合あるいは粘着材による係合等で係止して尿捕捉領域を吊り下げるようにして保持する。また、係止部材を尿捕捉領域の幅方向の一方の側縁に一端を留め付けて、他端をペットの胴部に廻して一周させ、尿捕捉領域の他方の側縁にメカニカル係合あるいは粘着材による係合等で係止して尿捕捉領域を吊り下げるようにして保持する。さらには、尿捕捉領域の長手方向（図１においてＩ−Ｉ方向）頭部側端縁に前記のように係止部材を留め付けてペットの首部分に所謂人間用のサスペンダーの如く掛け渡して係止して保持する等でもよい。
【００１６】
また、この係止部材はゴム等の伸縮する部材であるとペットの動きに追従することが可能となり、装着した際のフィット性に優れるのでより好ましい。また、係止部材のペットの身体に当接する面に低分子量のＰＥ（ポリエチレン）やゴム等の滑り止め材を設けることで、着用中にペットが動き回っても係止部材がずれ難くなるので、より好ましい。
【００１７】
（２）  前記尿捕捉領域は、前記固定テープから前記雄ペットの頭部側に向けて延伸してなるものであることを特徴とする（１）に記載の雄ペット用おむつ。
【００１８】
本発明によれば、尿捕捉領域は、前記固定テープから前記雄ペットの頭部側に向けて延伸しているので、雄ペットのように尿道口が胴体の略中央部にあっても、尿捕捉領域で尿道口やその近傍を覆うことができる。さらに、固定テープによる雄ペット用おむつの固定はペットの胴回りの最も短い腰部分で行われるので、長時間着用していても雄ペット用おむつがずれないため、尿捕捉領域もずれないことになり、尿道口およびその近傍は尿捕捉領域で常時覆われているため、尿等が漏れるおそれがない。
【００１９】
（３）  前記尿吸収体は、その頭部方向および側面方向においてＪＩＳのカンチレバー法による剛軟度が４０ｍｍから１５０ｍｍであることを特徴とする（１）または（２）に記載の雄ペット用おむつ。
【００２０】
本発明によれば、尿吸収体自体の曲げ剛性がＪＩＳのカンチレバー法による剛軟度で４０〜１５０ｍｍであるので、尿吸収体が尿を吸収した後においても、尿捕捉領域は頭部方向および側面方向のいずれの方向に対しても下方に垂れ下がらないでペットの腹部に当接していることになる。すなわち、尿捕捉領域は前記（２）で説明したように、固定テープ部分から前記雄ペットの頭部側に向けて延伸しているので、一端が固定テープ部分で固定された片持ち梁の状態となるが、尿吸収体は上記の剛軟度を有することで尿を吸収した後でも垂れ下がりが防止される。そのため、常時尿捕捉領域がペットの腹部に当接した状態で保持され、尿道口およびその近傍が尿捕捉領域で覆い隠されているので、尿等の漏れが防止される。
【００２１】
ここで、頭部方向とは、雄ペット用おむつの長手方向（図１においてＩ−Ｉ方向）を意味し、側面方向とは雄ペット用おむつの幅方向（図１においてＩＩ−ＩＩ方向）を意味する。
【００２２】
（４）  前記保持構造は、前記尿捕捉領域の側縁側から前記雄ペットの胴部を一周する係止部材で保持するものであることを特徴とする（１）または（２）に記載の雄ペット用おむつ。
【００２３】
前述本発明によれば、尿捕捉領域はその側縁に設けられた係止部材によって、ペットの胴部を一周するようにして保持されるので、尿捕捉領域の曲げ剛性が低くても尿捕捉領域はペットの腹部に当接した状態を保持できることになる。このため、尿道口およびその近傍は常時尿捕捉領域で覆い隠されていることになり、尿等の漏れが防止される。
【００２４】
（５）  前記係止部材は、一方の端部が前記尿捕捉領域の両側縁にそれぞれ固定され、他方の端部が外方に延伸して設けられ、前記おむつが前記雄ペットに装着された際に、前記雄ペットの胴部で前記端部どうしが係合して係止されるものであることを特徴とする（４）に記載の雄ペット用おむつ。
【００２５】
本発明によれば、係止部材は尿捕捉領域の幅方向のそれぞれの側縁に一方の端部が固定され、他端は幅方向の外方に延伸して設けられており、雄ペット用おむつを装着した際に、それぞれの係止部材の他方の端部をペットの胴部に廻して端部を係合して胴部で係止するので、尿捕捉領域を係止部材で吊ることになり、尿捕捉領域の曲げ剛性が低くても尿捕捉領域はペットの腹部に当接した状態を保持できることになる。このため、尿吸収体が尿を吸収した後においても、尿道口およびその近傍が尿捕捉領域で覆い隠されているので、尿等の漏れが防止される。尚、この係止部材は尿捕捉領域の大きさ等にもよるが複数個設けてもよい。
【００２６】
（６）  前記係止部材は、前記尿捕捉領域の一方の側縁側に設けられ、前記おむつが前記雄ペットに装着された際に、前記胴部を一周して前記尿捕捉領域の他方の側縁側に係止されるものであることを特徴とする（４）に記載の雄ペット用おむつ。
【００２７】
本発明によれば、雄ペット用おむつを装着した際に、尿捕捉領域の側縁に一端が固定されて設けられた係止部材を胴部に廻して一周させ、尿捕捉領域の他方の側縁に係合して尿捕捉領域に係止するので、尿捕捉領域を係止部材で吊ることになり、尿捕捉領域の曲げ剛性が低くても尿捕捉領域はペットの腹部に当接した状態を保持できることになる。このため、尿吸収体が尿を吸収した後においても、尿道口およびその近傍が尿捕捉領域で覆い隠されているので、尿等の漏れが防止される。尚、この係止部材は尿捕捉領域の大きさ等にもよるが複数個設けてもよい。
【００２８】
（７）  前記係止部材は、前記雄ペットと当接する側に滑り止め機能が付与されていることを特徴とする（４）から（６）いずれか記載の雄ペット用おむつ。
【００２９】
本発明によれば、係止部材はペットの胴部に当接する側に滑り止め機能が付与されているので、着用中においてペットが動き回っても係止部材が移動し難いことになる。これによって、係止部材で保持されている尿捕捉領域がずれ難くすることができる。尚、この滑り止め機能を付与するものとしては低分子量のＰＥ（ポリエチレン）やゴム等が例示される。
【００３０】
（８）  前記尿捕捉領域は、該尿捕捉領域に一端が固定され前記雄ペットの胴部を一周する前記係止部材によって前記胴部から吊り下げて保持されるものであることを特徴とする（４）から（７）いずれか記載の雄ペット用おむつ。
【００３１】
本発明によれば、尿捕捉領域は係止部材によってペットの胴部から吊り下げられて保持されているので、雄ペット用おむつを装着していてもペットの身体を締め付けるといった違和感を与えることがなく、尿捕捉領域が腹部に当接した状態を常時保持できることになる。
【００３２】
（９）  前記保持構造は、前記尿捕捉領域の前記尿吸収体の下面に設けた略平板状の剛性部材で保持するものであることを特徴とする（１）または（２）に記載の雄ペット用おむつ。
【００３３】
本発明によれば、尿捕捉領域の前記尿吸収体の下面には略平板状の剛性部材が設けられて、この剛性部材で尿捕捉領域をペットの腹部に当接するようにして保持しているので、尿捕捉領域が垂れ下がるのが防止されることになる。この剛性部材としては、尿捕捉領域の尿吸収体を保持できるものであれば、材質等は特に限定されないが、例えば、ＰＰ、ＰＥ、ＰＥＴ等のプラスチック、ＰＰを主体とする合成紙、厚紙等が挙げられる。また、その大きさは尿捕捉領域の尿吸収体の大きさよりも大きい寸法であるのが好ましい。すなわち、剛性部材は尿捕捉領域の尿吸収体の幅より広い幅であって、長さは雄ペット用おむつを固定する固定テープの位置よりも尻尾側の位置から尿吸収体の頭部側端部までの長さであるのが好ましいが、これ以上長くてもよい。
【００３４】
（１０）  前記剛性部材は、ＪＩＳのカンチレバー法によるその剛軟度が頭部方向および側面方向についてそれぞれ４０ｍｍから１５０ｍｍであることを特徴とする（９）に記載の雄ペット用おむつ。
【００３５】
本発明によれば、尿捕捉領域は前述のＪＩＳのカンチレバー法による剛軟度が頭部方向および側面方向についてそれぞれ４０〜１５０ｍｍである剛性部材によって、保持されているので、上記（３）で述べたように尿吸収体が尿を吸収した後においても、尿捕捉領域は下方に垂れ下がらないでペットの腹部に当接していることになる。そのため、尿道口およびその近傍が尿捕捉領域で常時覆い隠されているので、尿等の漏れが防止される。
【００３６】
（１１）  前記保持構造は、頭部方向を支持する前記剛性部材と、側面方向を支持する前記剛性部材と、からなり、それぞれの剛性部材が支持する方向のＪＩＳのカンチレバー法による剛軟度が４０ｍｍから１５０ｍｍであることを特徴とする（９）に記載の雄ペット用おむつ。
【００３７】
本発明によれば、尿捕捉領域を保持する構造が、側面方向のＪＩＳのカンチレバー剛軟度が４０〜１５０ｍｍの剛性部材と、頭部方向のＪＩＳのカンチレバー剛軟度が４０〜１５０ｍｍの剛性部材との剛性部材を組み合わせたものとしているので、尿吸収体が尿を吸収した後でも、尿捕捉領域は側面方向および頭部方向のいずれの方向にも垂れ下がるのを防止される。このため、尿捕捉領域がペットの腹部に当接した状態で保持され、尿道口およびその近傍が尿捕捉領域で常時覆い隠されているので、尿等の漏れが防止される。
【００３８】
（１２）  前記尿捕捉領域は、前記おむつ本体から分離されて別体となっていることを特徴とする（１）から（１１）いずれか記載の雄ペット用おむつ。
【００３９】
本発明によれば、尿捕捉領域がおむつ本体と分離された別体として構成されているので、雌ペット等のように尿道口が尻尾から離れていないペットに対しては、尿捕捉領域のない雄ペット用おむつを適用できることになり、おむつ本体から尿捕捉領域を別体として分離することにより、雌ペットに対しては、尿捕捉領域が不要となる分だけ腹部に当接する部分が短くなり、腹部周りに違和感を感じさせないことになる。また、尿捕捉領域のない雌ペット用おむつと尿捕捉領域を有する雄ペット用おむつとを別々に取り揃える必要がないので、経済的でもある。また、尿捕捉領域は別体となっているので、雄ペットの尿捕捉用部材として使用でき、例えば市販されているペット用おむつに併用して使用することもできる。
【００４０】
（１３）  前記固定テープは、熱シールにより前記おむつ本体に留め付けられたものであることを特徴とする（１）から（１２）いずれか記載の雄ペット用おむつ。
【００４１】
（１４）  前記固定テープは、メカニカル係止であることを特徴とする（１）から（１３）いずれか記載の雄ペット用おむつ。
【００４２】
本発明によれば、固定テープはメカニカル係合で係止する構造であるので、雄ペット用おむつの固定がワンタッチで行うことができ、雄ペット用おむつの装着や脱着が容易である。このメカニカル係合としては、例えば、固定テープの一端に鉤型係合素子を植え付けた係合片やマッシュルーム型係合素子を植え付けた係合片といった雄側係合片を設けて、この雄側係合片を雄ペット用おむつに設けられたループ状の被着部と機械的に係合することで行われる。
【００４３】
（１５）  前記固定テープは、粘着材による係止であることを特徴とする（１）から（１３）いずれか記載の雄ペット用おむつ。
【００４４】
本発明によれば、固定テープは粘着材による係止であるので、雄ペット用おむつの固定がワンタッチで行うことができ、雄ペット用おむつの装着や脱着が容易である。この粘着材による係合としては、例えば、固定テープの一端にゴム系等の粘着材が塗布されてフィルムを設け、このフィルム部分を雄ペット用おむつ側に設けられた離型処理されたフィルムに止着することで行われる。
【００４５】
（１６）  前記雄ペット用おむつは、オープン型おむつであることを特徴とする（１）から（１５）いずれか記載の雄ペット用おむつ。
【００４６】
本発明によれば、尻尾を尻尾通し孔に通す作業がオープン型おむつでは容易に行うことができる。
【００４７】
（１７）  前記雄ペット用おむつは、パンツ型おむつであることを特徴とする（１）から（１５）いずれか記載の雄ペット用おむつ。
【００４８】
本発明によれば、雄ペット用おむつをペットに装着させる際に、オープン型おむつのように固定テープで雄ペット用おむつを固定する必要がなく、簡便に装着できて、作業性がよい。すなわち、雄ペット用おむつの脚回り開口部にペットの足を通した後に雄ペット用おむつを足の根元まで引き上げ、その後、尻尾を尻尾通し孔に通して背当部・腹当部を胴側に引っ張り上げることによって装着させることができる。
【発明の効果】
【００４９】
本発明の雄ペット用おむつは、着用時に前記雄ペットの腰部分に対応する位置に、おむつ本体の幅方向の両側縁から外方に延伸するようにして固定テープが設けられ、腹当部には尿吸収体が雄ペットの尿道口およびその近傍を覆う長さ、大きさ及び配置がなされた尿捕捉領域を有し、尿吸収体が尿を吸収した後においても、この尿捕捉領域が雄ペットの腹部に当接するように保持するための保持構造を有しているので、雄ペット用おむつは雄ペットに装着された際、ペットの胴回り寸法が最も短い腰部分で固定されることになるため、雄ペット用おむつは着用中にずれ難いことになる。これによって、ペットの尿道口およびその近傍を覆う尿捕捉領域もずれ難いことない。さらに、尿捕捉領域を保持する保持構造により尿吸収体が尿を吸収した後でも尿捕捉領域を垂れ下がらないように保持できるので、尿捕捉領域が常に雄ペットの腹部に当接されていることになる。これにより、雄ペットが長時間おむつを着用していても尿捕捉領域が常時雄ペットの尿道口およびその近傍を覆い隠しているので、尿が漏れ難いことになる。
【発明を実施するための最良の形態】
【００５０】
以下本発明の実施形態について、図を参照しつつ説明するが、本発明はこれに限定されるものでない。
【００５１】
図１は本発明に係る雄ペット用おむつの第１の実施形態の構成説明図であり、本実施形態の表面側（身体面側）を広げたときの状態を示している。図２は図１に示す第１の実施形態のＩ−Ｉ線断面図であり、図３は図１に示す第１の実施形態のＩＩ−ＩＩ線断面図である。尚、これらの図では、判りやすくするために、寸法を適宜調整してある。
【００５２】
図１乃至図３において、符番１００で示される本発明の雄ペット用おむつは、おむつ本体１０１と、このおむつ本体１０１に取り付けられた固定テープ１１１，１１１と、雄ペットの尿道口およびその近傍を覆う尿捕捉領域ｄを主要素として構成してある。おむつ本体１０１は、雄犬２００の背中付近に当設される背当部ａと、雄犬２００の股付近に当設される股当部ｂと、雄犬２００の腹付近に当設される腹当部ｃと、からなり、親水性を有する不織布（例えば、ポイントボンド不織布、スルーエア不織布、スパンボンド不織布等）、または、開口フィルムなどからなる液透過性のトップシート１０２（身体面側のシート）と、合成樹脂フィルム、通気フィルム、通気性液遮断フィルムなど防水フィルムからなる液不透過性のバックシート１０３（反身体面側のシート）と、腹当部ｃでトップシート１０２とバックシート１０３の間に設けられた、トップシート１０２を透過した液体を吸収する尿吸収体１０４とから構成される。尚、バックシート１０３はおむつ本体１０１を破れにくくするために、防水フィルムの外側（反身体面側）に不織布を複合して強化したものとするのが好ましい。
【００５３】
また、おむつ本体１０１には、着用した際にペットの尻尾が位置する部分（おむつ本体１０１の股当部ｂの背当部ａ側近傍）には、ペットの尻尾を通すための尻尾通し孔１０５が切れ込み１０５ａとして設けられている。また、おむつ本体１０１の幅方向の側縁近傍には、大・小便の横漏れを防ぐ一対の襞状の立体ギャザー１０６，１０６が互いに一定距離を隔てるようにしながらおむつ本体１０１のトップシート１０２に長手方向に着設されている。また、この立体ギャザー１０６，１０６の長手方向に沿って立体ギャザー１０６，１０６に伸縮性を付与する弾性体１０７，１０７が配設されている。また、股当部ｂから腹当部ｃ中間部に亘った幅方向それぞれの側縁には伸縮性を付与するための弾性体１０８，１０８が配設されている。また、おむつ本体１０１の長手略中央部分の幅方向側縁（股当部ｂから腹当部ｃの中間部に亘る幅方向側縁）には湾曲形切欠部１０９，１０９が形成されている。腹当部ｃの略中間部分には幅方向の両側に突出する幅広状の幅広部分１１０，１１０となっており、その側縁には雄ペット用おむつ１００を固定するための一対の固定テープ１１１，１１１が、それぞれの一端をトップシート１０２とバックシート１０３との間で熱シールにより着設されて、おむつ本体１０１の幅方向の外方（図１におけるおむつ本体１０１の右方向および左方向）に延伸して設けられており、背当部ａの側縁近傍には雄ペット用おむつ１００が装着された際に固定テープ１１１，１１１に対応して止着される被接着部１１２がおむつ本体１０１の幅方向の側縁に沿ってバックシート１０３面に着設されている。また、おむつ本体１０１の長手方向（Ｉ−Ｉ方向）側の両側縁には幅方向に沿ってウエストバンド１１３，１１３がトップシート１０２とバックシート１０３との間に熱シールで着設されている。尚、このウエストバンド１１３，１１３はおむつ本体１０１の側縁をペットの身体にフィットさせるので、在るのが好ましいが無くてもよい。
【００５４】
上記尿吸収体１０４は、尻尾通し孔１０５よりも腹当部ｃ側寄りの股当部ｂから雄ペット用おむつ１００の腹当部ｃ側の長手方向側縁（おむつ本体１０１の長手方向の側縁）近傍に亘って、トップシート１０２とバックシート１０３の間に配設されている。この尿吸収体１０４は尿等の液体を吸収して保持する機能を有するもので、嵩高であり、型崩れし難く、化学的刺激が少ないものであることが好ましい。一般にはパルプ、化学パルプ、レーヨン、アセテート、天然コットン、高分子吸収体、繊維状高分子吸収体、合成繊維を単独又はこれらを混合した物が使用できる。そして、その曲げ剛性はＪＩＳ  Ｌ  １０９６「一般織物試験方法」で規定されている「４５°カンチレバー法による剛軟度」が頭部方向（おむつ本体１０１の長手方向、図１におけるＩ−Ｉ方向）および側面方向（おむつ本体１０１の幅方向、図１におけるＩＩ−ＩＩ方向）において、それぞれ４０ｍｍ以上であるのが好ましい。より好ましくは４０〜１５０ｍｍである。剛軟度が１５０ｍｍより大きいと剛性が強くなり、ペットが着用時に違和感を感じ装着を嫌がることになるので好ましくない。
【００５５】
この尿吸収体１０４は固定テープ１１１，１１１から腹当部ｃの長手方向側縁（おむつ本体１０１の長手方向の側縁）に伸延し、雄ペットの尿道口およびその近傍を覆う尿捕捉領域ｄを形成している（図１、図４参照）。
【００５６】
本実施形態では、尿吸収体１０４としては、剛軟度６０ｍｍ程度であってパルプと高吸水性樹脂を上下のティッシュで挟んだ物を使用しているが、パルプ、高吸水性樹脂をバインダーで形状が保持され、所定の剛軟度になるように成型したものであってもよい。具体的には、バインダーとしては、ポリエチレンを使用し、１０デシテックス程度、繊維長２５ｍｍ程度の繊維をパルプに対して２０％程度混合し、１５０℃程度のオーブン内で加熱し成型したものが挙げられる。尚、その他のバインダーとしてホットメルト系接着剤、アクリル樹脂などであってもよい。
【００５７】
図４は第１の実施形態の雄ペット用おむつを使用している状態の使用例構成説明図である。図中、図１と同一符号は同一の意味で使用し、ここでの重複説明は省略する。
【００５８】
符番２００は生まれて間もない子犬あるいは老衰や事故等により大・小便を飼い主に依存するようになった雄犬、符番２０１は雄犬の胴部、符番２０２は雄犬の腹部、符番２０３は雄犬の背中部、符番２０４は雄犬の腰部分、符番２０５は雄犬の後足、符番２０６は雄犬の尻尾、符番２０７は雄犬の尿道口である。
【００５９】
以下、図１と図４を用いて本発明に係る雄ペット用おむつ１００の具体的な使用例について詳しく説明する。先ず、図１に示す雄ペット用おむつ１００を持ち、その尻尾通し孔１０５に図４に示す雄犬（雄ペット）２００の尻尾２０６を貫通させる。次に、図１に示すおむつ本体１０１の背当部ａを図４に示す雄犬２００の背中部２０３に当設する。その後、図１に示すおむつ本体１０１の湾曲形切欠部１０９，１０９が図４に示す雄犬２００の後足２０５，２０５の太股部分にそれぞれ当たるようにしながら、図１に示すおむつ本体１０１の股当部ｂを図４に示す雄犬２００の股などに当設する。次いで、図１に示すおむつ本体１０１の腹当部ｃを図４に示す雄犬２００の腹部２０２に当設させ、その後、図１に示すおむつ本体１０１に着設された固定テープ１１１，１１１をおむつ本体１０１の背当部ａのバックシート１０３に着設された被接着部１１２に止着して、雄ペット用おむつ１００を固定する。
【００６０】
この固定は、固定テープ１１１，１１１が雄ペット用おむつ１００を着用した際に雄犬２００の腰部分２０４に対応する位置に設けられているので、雄ペット用おむつ１００は雄犬２００の胴回りの最も短い部分で固定されることになり、雄ペット用おむつ１００を長時間着用していてもずれるおそれがないことになる。これによって、尿捕捉領域ｄもずれるおそれがない。
【００６１】
雄ペット用おむつ１００を固定することで、固定テープ１１１，１１１から雄犬２００の頭部側（図１における下方向）に延伸する尿捕捉領域ｄは、雄犬２００の尿道口２０７およびその近傍を覆い、一方が固定テープ１１１，１１１に支持された片持ち梁状態で、腹部２０２に当接されて保持される。
【００６２】
このようにして、生まれて間もない子犬あるいは老衰や事故などにより大・小便を飼い主に依存するようになった雄犬２００に、本発明の第１の実施形態の雄ペット用おむつ１００が図４に示すようにして着用される。また、この雄ペット用おむつ１００を雄犬２００からはずす場合には、上述の着用動作と逆の手順で雄犬２００からはずされる。
【００６３】
次に、本発明に係る雄ペット用おむつの第２の実施形態について図５により説明する。
【００６４】
図５は、本発明に係る雄ペット用おむつの第２の実施形態を示す構成説明図であり、本実施形態の表面側（身体面側）を広げたときの状態を示す平面図である。尚、この図では、判りやすくするために、寸法を適宜調整してある。
【００６５】
この実施形態の雄ペット用おむつ１００Ａは、第１の実施形態の雄ペット用おむつ１００において、腹当部ｃの先端側（図５における下方向）の幅方向側縁に一対の係止部材１１４，１１４を設けたものである。すなわち、係止部材１１４は、その一端を腹当部ｃの尿捕捉領域ｄの幅方向のそれぞれの側縁でバックシート１０３面に熱シール等で着設し、他端を幅方向の外方（図５における右方向および左方向）に延伸して設けられ、他端部分はメカニカル係合で接合して係止できるように構成されている。このメカニカル係合は、例えば係止部材１１４の一方の先端部分には鉤型係合素子を植え付けた係合片やマッシュルーム型係合素子を植え付けた係合片等の雄側係合片１１５を設け、他方の係止部材１１４の先端部分にループ状の被係合部１１６を設けて、雄側係合片１１５をループ状の被係合部１１６に機械的に係合することで行うことができる。尚、係止部材１１４，１１４どうしを係合する方法としては、これに限定されるものでなく、例えば、一方の係止部材１１４にゴム系等の粘着剤が塗布されたフィルムを設け、他方の係止部材１１４に離型処理されたフィルムを設け、粘着材で係合して係止してもよい。
【００６６】
また、図示していないが、係止部材１１４の雄犬２００の胴部２０１と当接する面には、低分子量のＰＥ（ポリエチレン）やゴム等からなる滑り止め部を設けてもよい。この滑り止め部を設けることにより、雄ペット用おむつ１００Ａを着用中にペットが動き回っても係止部材１１４が移動するのを防止でき、尿捕捉領域ｄがずれないことになる。さらに、この係止部材１１４はゴム等の伸縮性を有するものであってもよい。伸縮性を有するものとすることで、尿捕捉領域ｄがペットの身体によりフィットすることになるので、より好ましい。
【００６７】
また、この係止部材１１４は複数本であってもよいが、コスト面からこの実施形態のように一対のセットで尿捕捉領域ｄを保持できるのが好ましい。
【００６８】
また、図示していないが、係止部材１１４の長さを長いものとして、具体的には雄犬２００の胴部２０１を少なくとも一周する長さにして、一端を尿捕捉領域ｄの幅方向の一方の側縁でバックシート１０３面に熱シール等で着設し、他端を幅方向の外方に延伸させ、その先端部分を雄ペット用おむつ１００Ａのバックシート１０３面にメカニカル係合や粘着材により接合して係止できるように構成してもよい。
【００６９】
この雄ペット用おむつ１００Ａは尿捕捉領域ｄが係止部材１１４によって、雄犬２００の腹部２０２に当接するように保持されることになるので、尿吸収体１０４の曲げ剛性は、特に限定されることはない。すなわち、尿吸収体１０４の曲げ剛性は、雄ペット用おむつ１００Ａを製造する工程に支障を来たさない程度の曲げ剛性を有する範囲であればよく、剛軟度が４０ｍｍより小さくてもよい。また、尿吸収体１０４の組成は第１の実施形態の雄ペット用おむつ１００で説明したと同じく、パルプ、化学パルプ、レーヨン、アセテート、天然コットン、高分子吸収体、繊維状高分子吸収体、合成繊維を単独又はこれらを混合した物が使用できる。
【００７０】
尚、この雄ペット用おむつ１００Ａを構成するその他の要素や材料等は、第１の実施形態の雄ペット用おむつ１００と同様であるので、説明を省略する。
【００７１】
図６は第２の実施形態の雄ペット用おむつを使用している状態の使用例構成説明図である。図中、図１乃至図４と同一符号は同一の意味で使用し、ここでの重複説明は省略する。
【００７２】
以下、図５と図６を用いて本発明に係る第２の実施形態の雄ペット用おむつ１００Ａの具体的な使用例について詳しく説明する。
【００７３】
第１の実施形態の雄ペット用おむつ１００で説明したように、先ず、図５に示す雄ペット用おむつ１００Ａを持ち、その尻尾通し孔１０５に図６に示す雄犬２００の尻尾２０６を貫通させる。次に、図５に示すおむつ本体１０１の背当部ａを図６に示す雄犬２００の背中部２０３に当設する。その後、図５に示すおむつ本体１０１の湾曲形切欠部１０９，１０９が図６に示す雄犬２００の後足２０５，２０５の太股部分にそれぞれ当たるようにしながら、図５に示すおむつ本体１０１の股当部ｂを図６に示す雄犬２００の股などに当設する。次いで、図５に示すおむつ本体１０１の腹当部ｃを図６に示す雄犬２００の腹部２０２に当設させ、その後、図５に示すおむつ本体１０１に着設された固定テープ１１１，１１１をおむつ本体１０１の背当部ａのバックシート１０３面に着設された被接着部１１２に止着して、雄ペット用おむつ１００Ａを固定する。
【００７４】
この固定も、固定テープ１１１，１１１が雄ペット用おむつ１００Ａを着用した際に雄犬２００の胴回り寸法が最も短い腰部分２０４に対応する位置に設けられているので、雄犬２００の胴回りの最も短い部分で固定されることになり、雄ペット用おむつ１００Ａを長時間着用していてもずれるおそれがないことになる。これによって、尿捕捉領域ｄもずれるおそれがない。
【００７５】
次に、図６に示すように雄犬２００の尿道口２０７およびその近傍を固定テープ１１１，１１１から雄犬２００の頭部側に延伸する尿捕捉領域ｄで覆い、尿捕捉領域ｄの側縁に設けられた係止部材１１４，１１４を胴部２０１に廻し、尿捕捉領域ｄを腹部２０２に当接させて、係止部材１１４，１１４の先端部分どうしをメカニカル係合で係合して係止する。
【００７６】
このようにして、生まれて間もない子犬あるいは老衰や事故などにより大・小便を飼い主に依存するようになった雄犬２００に、本発明の第２の実施形態の雄ペット用おむつ１００Ａが図６に示すようにして着用される。また、この雄ペット用おむつ１００Ａを雄犬２００からはずす場合には、上述の着用動作と逆の手順で雄犬２００からはずされる。
【００７７】
次に、本発明に係る雄ペット用おむつの第３の実施形態について図７乃至図９により説明する。
【００７８】
図７は、本発明に係る雄ペット用おむつの第３の実施形態を示す構成説明図であり、本実施形態の表面側（身体面側）を広げたときの状態を示す平面図である。図８は図７に示す第３の実施形態のＩＩＩ−ＩＩＩ線断面図であり、図９は図７に示す第３の実施形態のＩＶ−ＩＶ断面図である。尚、これらの図では、判りやすくするために、寸法を適宜調整してある。
【００７９】
この第３の実施形態の雄ペット用おむつ１００Ｂは、第１の実施形態の雄ペット用おむつ１００において、腹当部ｃの尿捕捉領域ｄに剛性部材１１７を尿吸収体１０４の下方（尿吸収体１０４とバックシート１０３との間）に設けたものである。すなわち、図７乃至図９に示すように、固定テープ１１１，１１１より股当部ｂ側の位置から腹当部ｃの尿捕捉領域ｄの先端側縁に至る長さで、尿吸収体１０４の幅よりも大きい幅を有する大きさの剛性部材１１７が尿吸収体１０４とバックシート１０３との間に配設されてある。
【００８０】
この剛性部材１１７は、ＰＰ、ＰＥ、ＰＥＴ等のプラスチック、ＰＰを主体とする合成紙、厚紙等からなる略平板状のシート材であって、頭部方向（図７におけるＩＩＩ−ＩＩＩ方向）および側面方向（図７におけるＩＶ−IＶ方向）における曲げ剛性がＪＩＳのカンチレバーによる剛軟度で各々４０〜１５０ｍｍである。尚、この剛性部材１１７として、例えば延伸をかけたＰＰ等のフイルムで、頭部方向の剛軟度を４０〜１５０ｍｍであるものと、側面方向の曲げ剛性が４０〜１５０ｍｍであるものとを少なくとも一枚を重ね合わせて複合したものであってもよい。ここで、上記のＰＰ等のフィルムにおいて延伸の有無と方向で物性が変化するので、このようなものを使用すれば、方向によって剛性差を得ることができる。
【００８１】
この雄ペット用おむつ１００Ｂは尿捕捉領域ｄが剛性部材１１７によって、雄犬２００の腹部２０２に当接するように保持されることになるので、尿吸収体１０４の曲げ剛性は、特に限定されるものではない。すなわち、尿吸収体１０４の曲げ剛性は、雄ペット用おむつ１００Ｂを製造する工程に支障を来たさない程度の曲げ剛性を有する範囲であればよく、剛軟度が４０ｍｍより小さくてもよい。また、尿吸収体１０４の組成は第１の実施形態の雄ペット用おむつ１００で説明したのと同じく、パルプ、化学パルプ、レーヨン、アセテート、天然コットン、高分子吸収体、繊維状高分子吸収体、合成繊維を単独又はこれらを混合した物が使用できる。
【００８２】
尚、この雄ペット用おむつ１００Ｂを構成するその他の要素や材料等は、図１の雄ペット用おむつ１００と同様であるので、説明を省略する。
【００８３】
図１０は第３の実施形態の雄ペット用おむつを使用している状態の使用例構成説明図である。図中、図１乃至図４と同一符号は同一の意味で使用し、ここでの重複説明は省略する。
【００８４】
以下、図７と図１０を用いて本発明に係る雄ペット用おむつ１００Ｂの具体的な使用例について詳しく説明する。第１の実施形態の雄ペット用おむつ１００で説明したように、先ず、図７に示す雄ペット用おむつ１００Ｂを持ち、その尻尾通し孔１０５に図１０に示す雄犬２００の尻尾２０６を貫通させる。次に、図７に示すおむつ本体１０１の背当部ａを図１０に示す雄犬２００の背中部２０３に当設する。その後、図７に示すおむつ本体１０１の湾曲形切欠部１０９，１０９が図１０に示す雄犬２００の後足２０５，２０５の太股部分にそれぞれ当たるようにしながら、図７に示すおむつ本体１０１の股当部ｂを図１０に示す雄犬２００の股などに当設する。次いで、図７に示すおむつ本体１０１の腹当部ｃを図１０に示す雄犬２００の腹部２０２に当設させ、その後、図７に示すおむつ本体１０１に着設された固定テープ１１１，１１１をおむつ本体１０１の背当部ａのバックシート１０３面に着設された被接着部１１２に止着して、雄ペット用おむつ１００Ｂを固定する。
【００８５】
この固定は、第１の実施形態の雄ペット用おむつ１００と同様に、固定テープ１１１，１１１は雄ペット用おむつ１００Ｂを着用した際に雄犬２００の胴回り寸法が最も短い腰部分２０４に対応する位置に設けられているので、雄犬２００の胴回りの最も短い部分で固定されることになり、雄ペット用おむつ１００Ｂを長時間着用していてもずれるおそれはないことになる。これによって、尿捕捉領域ｄもずれるおそれがないことになる。
【００８６】
雄ペット用おむつ１００Ｂを固定することで、剛性部材１１７で支持された尿捕捉領域ｄは、雄犬２００の尿道口２０７を覆い、剛性部材１１７の一端が固定テープ１１１，１１１に支持された片持ち梁状態で、腹部２０２に当接されて保持される。
【００８７】
このようにして、生まれて間もない子犬あるいは老衰や事故などにより大・小便を飼い主に依存するようになった雄犬２００に、本発明の第３の実施形態の雄ペット用おむつ１００Ｂが図１０に示すようにして着用される。また、この雄ペット用おむつ１００Ｂを雄犬２００からはずす場合には、上述の着用動作と逆の手順で雄犬２００からはずされる。
【００８８】
次に、本発明に係る雄ペット用おむつの第４の実施形態について図１１により説明する。
【００８９】
図１１は、本発明に係る雄ペット用おむつの第４の実施形態を示す構成説明図であり、本実施形態の表面側（身体面側）を広げたときの状態を示す平面図で（ａ）はおむつ体を示す図であり、（ｂ）は別体の尿捕捉体を示す図である。また、図１２は第４の実施形態の雄ペット用おむつを使用している状態の使用例構成説明図である。尚、この図では、判りやすくするために、寸法を適宜調整してある。
【００９０】
この実施形態の雄ペット用おむつ１００Ｃは、第１の実施形態の雄ペット用おむつ１００において、腹当部ｃの尿捕捉領域ｄをおむつ本体１０１から切り離して別体としたものである。すなわち、図１１の（ａ）に示す、雄犬の背中付近に当設される背当部ａと雄犬の股付近に当設される股当部ｂと雄犬の腹付近に当設される腹当部ｃとからなりおむつ体１１８と、（ｂ）に示す尿捕捉するための尿捕捉体１１９と、からなる。おむつ体１１８は、尿吸収体１０４が尻尾通し孔１０５よりも腹当部ｃ側寄りの股当部ｂからおむつ体１１８の腹当部ｃに設けられた固定テープ１１１，１１１の近傍までに設けられたもので、固定テープ１１１，１１１から延伸する尿捕捉領域がない形状のものであり、尿捕捉体１１９は、トップシート１０２とバックシート１０３とこれらシートの間に設けられた尿吸収体１０４とからなり、幅方向の側縁には係止部材１１４，１１４が一端をバックシート１０３面に着設し、他端を幅方向の外方（図１１における右方向および左方向）に延伸する形で設けられている。この尿捕捉体１１９の長さは、雄犬２００に装着した際におむつ体１１８の腹当部ｃの頭部側先端より尿道口２０７およびその近傍を覆うことができる長さ以上であるのが好ましい。すなわち、着用した際に、おむつ体１１８に所定寸法に重なり合って尿道口２０７およびその近傍を覆うことができる長さであるのが好ましい。これによって、図１２に示すように、尿捕捉体１１９の係止部材１１４，１１４が設けられていない側縁がおむつ体１１８に重なり合うようにして装着することができるので、おむつ体１１８と尿捕捉体１１９の接合部分から尿が漏れ出るのを防止できる。
【００９１】
また、尿捕捉体１１９として、図示していないが、第２の実施形態のように、尿捕捉体１１９の尿吸収体１０４の下方（バックシート１０３側）に剛性部材１１７を配置したものであってもよい。
【００９２】
この雄ペット用おむつ１００Ｃの具体的な使用例について詳しく説明する。
【００９３】
第１の実施形態で説明したように、先ず、図１１に示す雄ペット用おむつ１００Ｃのおむつ体１１８を持ち、その尻尾通し孔１０５に図１２に示す雄犬２００の尻尾２０６を貫通させる。次に、図１１の（ａ）に示すおむつ体１１８の背当部ａを図１２に示す雄犬２００の背中部２０３に当設する。その後、図１１に示すおむつ体１１８の湾曲形切欠部１０９，１０９が図１２に示す雄犬２００の後足２０５，２０５の太股部分にそれぞれ当たるようにしながら、図１１に示すおむつ体１１８の股当部ｂを図１２に示す雄犬２００の股などに当設する。次いで、図１１に示すおむつ体１１８の腹当部ｃを図１２に示す雄犬２００の腹部２０２に当設させ、その後、図１１に示すおむつ体１１８に着設された固定テープ１１１，１１１をおむつ体１１８の背当部ａのバックシート１０３面に着設された被接着部１１２に止着して、おむつ体１１８を固定する。この際、図１１の（ｂ）に示す尿捕捉体１１９の係止部材１１４，１１４が設けられていない側縁（図１１における上方の側縁）をおむつ体１１８に重ね合わせ固定テープ１１１，１１１に固定できる位置に配置する。これによって、尿捕捉体１１９の一端がおむつ体１１８と重なり合って、固定テープ１１１，１１１によって固定されることになる。次いで、尿捕捉体１１９に設けた係止部材１１４，１１４にて、第２の実施形態と同様にして雄犬２００の胴部２０１に係止する。
【００９４】
このようにして、生まれて間もない子犬あるいは老衰や事故などにより大・小便を飼い主に依存するようになった雄犬２００に、本発明の第３の実施形態の雄ペット用おむつ１００Ｃが図１２に示すようにして着用される。また、この雄ペット用おむつ１００Ｃを雄犬２００からはずす場合には、上述の着用動作と逆の手順で雄犬２００からはずされる。
【００９５】
次に、本発明に係る雄ペット用おむつの第５の実施形態について図１３により説明する。
【００９６】
図１３は、本発明に係る雄ペット用おむつの第５の実施形態を示す斜視図であって、本発明の雄ペット用おむつ１００Ｄはパンツ型の雄ペット用おむつである。このパンツ型の雄ペット用おむつ１００Ｄは図５に示す構成のオープン型の第２の実施形態の雄ペット用おむつ１００Ａの背当部ａおよび腹当部ｃの幅方向端縁がそれぞれ接合されて、雄ペット用おむつ１００Ｄの両側に接合部１２０が形成され、これによって、背当部ａと腹当部ｃとが連接され胴回り部１２１が形成されて、パンツ型の雄ペット用おむつとなる。また、オープン型の雄ペット用おむつ１００Ａの背当部ａと腹当部ｃの幅方向側縁どうしをそれぞれ接合することにより、図５に示すおむつ本体１０１の湾曲形切欠部１０９，１０９はペットの足を通す一対の脚回り開口部１２２，１２２として形成される。そして、このパンツ型の雄ペット用おむつ１００Ｄの股当部ｂには、背当部ａ側近傍にペットの尻尾２０６を通すための尻尾通し孔１０５が切れ込み１０５ａとして形成されている。パンツ型の雄ペット用おむつ１００Ｄの背当部ａの側縁部分および腹当部ｃの側縁部分には、伸縮性を付与するための弾性体１２３，１２３が側縁に沿って配置されている。これらの弾性体１２３，１２３でパンツ型の雄ペット用おむつ１００Ｄの胴回り部１２１は着用した際に、ペットの胴体に密着することになる。
【００９７】
また、腹当部ｃの接合部１２０より頭部側（図１３における斜め上方）に延伸する尿捕捉領域ｄが形成されている。この尿捕捉領域ｄの頭部側の幅方向の側縁には、尿捕捉領域ｄを保持するための係止部材１１４，１１４が第２の実施形態の雄ペット用おむつ１００Ａと同様にして設けられている。
【００９８】
尚、この尿捕捉領域ｄを保持するものとして、第３の実施形態の雄ペット用おむつ１００Ｂと同じく、剛性部材１１７を尿吸収体１０４の下方に設けてもよい（図７参照）。
【００９９】
以下、図６を参照して図１３の本発明に係る雄ペット用おむつの第５の実施形態の具体的な使用例について詳しく説明する。先ず、図１３に示す雄ペット用おむつ１００Ｄを持ち、一対の脚回り開口部１２２，１２２に図６に示す雄犬２００の左右の後足２０５，２０５を通した後、雄ペット用おむつ１００Ｄを雄犬２００の左右の後足２０５，２０５の太股部分まで引っ張り上げる。次に、雄ペット用おむつ１００Ｄの尻尾通し孔１０５に尻尾２０６を貫通させる。次いで、雄ペット用おむつ１００Ｄの胴回り部１２１を引っ張り上げて、図６に示す雄犬２００の背中部２０３と腹部２０２に密着するように着用する。次いで、尿捕捉領域ｄに設けた係止部材１１４，１１４を雄犬２００の胴部２０１に廻して第２の実施形態と同様にして係止する。
【０１００】
このようにして、生まれて間もない子犬あるいは老衰や事故などにより大・小便を飼い主に依存するようになった雄犬２００に、本発明の第５の実施形態の雄ペット用おむつ１００Ｄが着用される。また、このパンツ型の雄ペット用おむつ１００Ｄを雄犬２００からはずす場合には、上述の着用動作と逆の手順で雄犬２００からはずされる。
【０１０１】
以上、このパンツ型の雄ペット用おむつ１００Ｄは、図５に示す雄ペット用おむつ１００Ａをパンツ型にしたものについて説明したが、図１および図７に示す雄ペット用おむつ１００，１００Ｂをパンツ型にしたものであってもよい。
【０１０２】
以上の様に本発明に係る雄ペット用おむつに関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【０１０３】
例えば、固定テープの係合をメカニカル係合として雄側係合片をフック部材とし、これに対応する雌側係合片を不織布の表面のループ繊維として、被接着部１１２を特に設けない構成にしてもよい。また、ペットの尻尾を通す尻尾通し孔は、切れ込みとしないで、切り抜いた孔としてもよい。
【図面の簡単な説明】
【０１０４】
【図１】本発明に係る雄ペット用おむつの第１の実施形態の構成説明図であり、本実施形態の表面側（身体面側）を広げたときの状態を示している。
【図２】図１に示す第１の実施形態のＩ−Ｉ線断面図である。
【図３】図１に示す第１の実施形態のＩＩ−ＩＩ線断面図である。
【図４】第１の実施形態の雄ペット用おむつを使用している状態の使用例構成説明図である。
【図５】本発明に係る雄ペット用おむつの第２の実施形態を示す構成説明図であり、本実施形態の表面側（身体面側）を広げたときの状態を示す平面図である。
【図６】第２の実施形態の雄ペット用おむつを使用している状態の使用例構成説明図である。
【図７】本発明に係る雄ペット用おむつの第３の実施形態を示す構成説明図であり、本実施形態の表面側（身体面側）を広げたときの状態を示す平面図である。
【図８】図７に示す第３の実施形態のＩＩＩ−ＩＩＩ線断面図である。
【図９】図７に示す第３の実施形態のＩＶ−ＩＶ線断面図である。
【図１０】第３の実施形態の雄ペット用おむつを使用している状態の使用例構成説明図である。
【図１１】本発明に係る雄ペット用おむつの第４の実施形態を示す構成説明図であり、本実施形態の表面側（身体面側）を広げたときの状態を示す平面図で、（ａ）はおむつ体を示す図であり、（ｂ）は別体の尿捕捉体を示す図である。
【図１２】第４の実施形態の雄ペット用おむつを使用している状態の使用例構成説明図である。
【図１３】本発明に係る雄ペット用おむつの第５の実施形態を示す斜視図である。
【符号の説明】
【０１０５】
１００，１００Ａ，１００Ｂ，１００Ｃ  雄ペット用おむつ（オープン型）
１００Ｄ  雄ペット用おむつ（パンツ型）
１０１  おむつ本体
１０４  尿吸収体
１０５  尻尾通し孔
１１１  固定テープ
１１４  係止部材
１１７  剛性部材
２００  雄犬（雄ペット）
２０１  胴部
２０２  腹部
２０４  腰部分
２０６  尻尾
２０７  尿道口
ａ  背当部
ｂ  股当部
ｃ  腹当部
ｄ  尿捕捉領域
【図１】
2005151869.tif 000003
【図２】
2005151869.tif 000004
【図３】
2005151869.tif 000005
【図４】
2005151869.tif 000006
【図５】
2005151869.tif 000007
【図６】
2005151869.tif 000008
【図７】
2005151869.tif 000009
【図８】
2005151869.tif 000010
【図９】
2005151869.tif 000011
【図１０】
2005151869.tif 000012
【図１１】
2005151869.tif 000013
【図１２】
2005151869.tif 000014
【図１３】
2005151869.tif 000015